(57)【要約】  これまで、ＳＶＣでコーディングされたコンテンツをファイルに保存する場合、トラック別にメタデータの共通する部分に対してデータが反復されて重複され、意味上で互いに相関するトラックの関係を表示できなかった。しかし、本発明によれば、ＳＶＣでコーディングされたコンテンツをファイルに保存する場合において、トラック別のメタデータを共有することによって、スケーラブル階層別に共通するデータの反復を避け、ベーストラックリファレンスを置くことによって、意味上で互いに相関するトラックの関係を表示できる。
2009522984.tif 000002
【特許請求の範囲】
【請求項１】
各フレームに少なくとも１つのスケーラブル階層を含むメディアデータを有するＳＶＣファイルのデータ共有方法において、
前記メディアデータに含まれた少なくとも１つの前記スケーラブル階層に対するメタデータを保存している少なくとも１つのスケーラブル階層エントリをスケーラブルベーストラックに保存するステップと、
前記スケーラブルベーストラックのベースとなった前記メディアデータに含まれた前記スケーラブル階層のうち一部をベースとして生成されたサブトラックに、前記少なくとも１つのスケーラブル階層の識別情報及び前記スケーラブルベーストラックの識別情報を保存するステップと、
前記スケーラブル階層の識別情報及び前記スケーラブルベーストラックの識別情報に基づいて、前記スケーラブルベーストラックに保存された前記スケーラブル階層エントリを共有するステップと
備えたことを特徴とする方法。
【請求項２】
前記スケーラブル階層の識別情報及び前記スケーラブルベーストラックの識別情報を、前記スケーラブルサブトラックのｓｇｐｄトラックで表すことを特徴とする請求項１に記載の方法。
【請求項３】
少なくとも１つのスケーラブル階層を有するスケーラブルベーストラックを含む複数のメディアデータを有するＳＶＣファイルのデータ共有方法において、少なくとも１つの前記スケーラブルベーストラックをベースとして生成された少なくとも１つのサブトラックに、前記スケーラブルベーストラックのうち、サブトラックの生成のベースとなった前記スケーラブルベーストラックの識別情報を保存するステップを備えたことを特徴とするＳＶＣファイルのデータ共有方法。
【請求項４】
前記スケーラブルベーストラックの前記識別情報に基づいて、同じスケーラブルベーストラックに基づいて生成されたサブトラックを結合することにより管理するステップをさらに備えたことを特徴とする請求項３に記載の方法。
【請求項５】
前記スケーラブルベーストラックの前記識別情報は、前記少なくとも１つのサブトラックのトラックリファレンス情報を含むトラックリファレンスタイプボックスのｓｂａｓトラックで表すことを特徴とする請求項３または４に記載の方法。
【請求項６】
各フレームに少なくとも１つのスケーラブル階層を含むメディアデータを有するＳＶＣファイルであって、
少なくとも１つの前記スケーラブル階層のメタデータをそれぞれ保存している少なくとも１つのスケーラブル階層エントリを含むスケーラブルベーストラックと、
前記スケーラブルベーストラックをベースとして生成され、前記スケーラブル階層のうち、サブトラックの生成のベースとなった前記スケーラブル階層の識別情報及び前記スケーラブル階層エントリの代わりに前記スケーラブルベーストラックの識別情報を含む少なくとも１つのサブトラックと
を備えたことを特徴とするＳＶＣファイル。
【請求項７】
前記スケーラブル階層のうち、前記サブトラックの生成のベースとなった前記スケーラブル階層の前記識別情報及び前記スケーラブルベーストラックの前記識別情報は、前記サブトラックのｓｇｐｄトラックで表すことを特徴とする請求項６に記載のＳＶＣファイル。
【請求項８】
少なくとも１つのスケーラブル階層を有するスケーラブルベーストラックを含む複数のメディアデータを有するＳＶＣファイルにおいて、複数の前記スケーラブルベーストラックのうち、サブトラックの生成のベースとなった前記スケーラブルベーストラックの識別情報を保存している複数の前記スケーラブルベーストラックの一つをベースとして生成された少なくとも１つのサブトラックを備えたことを特徴とするＳＶＣファイル。
【請求項９】
前記スケーラブルベーストラックの前記識別情報を、前記サブトラックのトラックリファレンス情報を含むトラックリファレンスタイプボックスのｓｂａｓトラックで表すことを特徴とする請求項８に記載のＳＶＣファイル。
【請求項１０】
請求項１ないし５のうちいずれか一項に記載の方法を実行させるためのコンピュータプログラムを組み込んだコンピュータで読み取り可能な記録媒体。
【発明の詳細な説明】
【技術分野】
【０００１】
本発明は、ＳＶＣ（Ｓｃａｌａｂｌｅ  Ｖｉｄｅｏ  Ｃｏｄｉｎｇ：スケーラブルなビデオコーディング）ファイルのデータ共有方法及びそのファイルに係り、特にトラック別のメタデータの共有及びベーストラックリファレンスを利用したＳＶＣファイルのデータ共有方法及びそのファイルに関する。
【背景技術】
【０００２】
図１は、スケーラブルビデオコーディング（Ｓｃａｌａｂｌｅ  Ｖｉｄｅｏ  Ｃｏｄｉｎｇ：ＳＶＣ）の概念を示す図である。
【０００３】
図１に示すように、ＳＶＣは、複数個のビデオ階層を一つのビット列に符号化する。
ＳＶＣの階層は、一つの基本階層と、基本階層上に連続的に積める１以上の拡張階層とから構成される。
【０００４】
各拡張階層は、下位階層情報をベースとしてそれぞれに与えられた最大のビット率、画面率及び解像度を表現できる。ＳＶＣでは、拡張階層を連続的に多く積むほど、多様なビット率、画面率、解像度のサポートが可能である。
【０００５】
このように、ＳＶＣは、異種のネットワーク環境で発生する帯域幅の多様性問題、受信端末器の性能と解像度の多様性問題、コンテンツ消費者の多様な趣向などにつきものの問題を解決できる符号化技術である。
【０００６】
図２は、マルチメディアファイルのファイルフォーマットを示す図である。
【０００７】
一般的に、ビデオコンテンツをファイルに保存しようとする場合、コンテンツの任意の位置への自由な接近を保証し、コンテンツの再加工を容易にするために、コンテンツの符号化情報以外にコンテンツに対する符号化方式、長さ、内容、任意接近情報などについてのメタデータを別途に保存する。
【０００８】
また、連続的に再生可能な一つのメディア単位としてトラックという単位を定義する。
【０００９】
図２に示すように、一般的に、マルチメディアファイルは、オーディオトラックとビデオトラックとを有する構造で保存される。
【００１０】
ビデオコンテンツをＳＶＣ形態でコーディングする場合、マルチメディアファイルは、２以上のビデオトラックを有し、これは、ＳＶＣの特徴に起因する。
【００１１】
図３は、ＳＶＣでコーディングされたコンテンツのスケーラブル階層を示す図である。
【００１２】
ＳＶＣは、複数個のビデオ階層を一つのビット列に符号化することを特徴とする。
【００１３】
図３に示すように、スケーラブルベースビットストリームは、最高の画質を有する一つのビットストリームｐ１ないしｐｍであり、全体の符号化データ３１０を含む。
【００１４】
スケーラブルベースビットストリームから、ネットワークのサポート帯域幅やユーザーの使用端末仕様によって自由にサブビットストリーム（０ないしａまたは０ないしｂの伝送対象符号化データａまたは伝送対象符号化データｂ）を生成できる。
【００１５】
サブビットストリームａ  ３２０は、伝送対象符号化データａを含み、サブビットストリームｂ  ３３０は、伝送対象符号化データｂを含む。
【００１６】
スケーラブルベースビットストリーム、サブビットストリームａ及びサブビットストリームｂは、いずれも１以上のスケーラブル階層ｐ１，ｐ２，…,ｐｉで構成されている。
【００１７】
スケーラブルベースビットストリームは、あらゆるスケーラブル階層ｐ１ないしｐｍを有するビットストリームである。
【００１８】
残りのサブビットストリームは、スケーラブル階層ｐ１ないしｐｍのうち、特定のステップまでのスケーラブル階層（サブビットストリームａはｐ１ないしｐｉ、または、サブビットストリームｂはｐ１ないしｐ３）のみを有する。
【００１９】
図４は、ＳＶＣでコーディングされたコンテンツを保存するＳＶＣファイルのファイルフォーマットを示す図である。
【００２０】
図４に示すように、スケーラブルベースビットストリーム及びサブビットストリームは、別途のトラック（一般的に、それぞれスケーラブルベーストラック、サブトラックと称する）に分けられて構成される。
【００２１】
かかる場合、一つのファイル内に二つ以上のビデオトラックを有し、一つのファイル内に二つ以上のビデオトラックを有する場合、それぞれのトラック別にスケーラブル階層を表すメタデータを別途に置くことができる。
【００２２】
従来、ＳＶＣでコーディングされたコンテンツをファイルに保存する場合、（１）トラックのメタデータの共通部分においてデータが反復されて重複され、（２）別のトラックに相関するトラックの関係を表示できなかった。
【発明の開示】
【発明が解決しようとする課題】
【００２３】
本発明によるＳＶＣファイルのデータ共有方法及びそのファイルは、ＳＶＣでコーディングされたコンテンツをファイルに保存する場合において、スケーラブル階層別に共通するデータの反復を避けることによりストレージ容量の減少ができ、別のトラックに相関するトラックの関係を表示することによりＳＶＣファイルに保存されたコンテンツの再加工時に便宜を提供することを目的とする。
【課題を解決するための手段】
【００２４】
本発明による各フレームに少なくとも１つのスケーラブル階層を備えるメディアデータを備えたＳＶＣファイルのデータ共有方法は、前記メディアデータに含まれた少なくとも１つの前記スケーラブル階層に対するメタデータをそれぞれ保存している少なくとも１つのスケーラブル階層エントリをスケーラブルベーストラックに保存するステップと、前記スケーラブルベーストラックのベースとなった前記メディアデータに含まれた少なくとも１つの前記スケーラブル階層のうち一部をベースとして生成されたサブトラックに、前記スケーラブル階層の識別情報及び前記スケーラブルベーストラックの識別情報を保存するステップと、前記スケーラブル階層の識別情報及び前記スケーラブルベーストラックの識別情報に基づいて、前記スケーラブルベーストラックに保存された前記スケーラブル階層エントリを共有するステップとを有する。
【００２５】
本発明による少なくとも１つのスケーラブル階層を含むスケーラブルベーストラックを備えたメディアデータを複数個備えるＳＶＣファイルのデータ共有方法は、複数個の前記スケーラブルベーストラックのうちいずれか一つをベースとして生成された少なくとも１つのサブトラックに、複数個の前記スケーラブルベーストラックのうち、生成のベースとなった前記スケーラブルベーストラックの識別情報を保存するステップを有する。
【００２６】
前記課題を解決するための本発明による各フレームに少なくとも１つのスケーラブル階層を備えるメディアデータを備えたＳＶＣファイルは、少なくとも１つの前記スケーラブル階層に対するメタデータをそれぞれ保存している少なくとも１つのスケーラブル階層エントリを含むスケーラブルベーストラックと、前記スケーラブルベーストラックをベースとして生成され、前記スケーラブル階層エントリの代わりに、前記スケーラブル階層のうち、生成のベースとなったスケーラブル階層の識別情報及び前記スケーラブルベーストラックの識別情報を含む少なくとも１つのサブトラックとを有する。
【００２７】
本発明による少なくとも１つのスケーラブル階層を備えるスケーラブルベーストラックを備えたメディアデータを複数個備えるＳＶＣファイルは、複数個の前記スケーラブルベーストラックのうち、生成のベースとなった前記スケーラブルベーストラックの識別情報を保存している複数個の前記スケーラブルベーストラックのうちいずれか一つをベースとして生成された少なくとも１つのサブトラックを有する。
【００２８】
本発明によれば、ＳＶＣでコーディングされたコンテンツをファイルに保存する場合において、（１）トラック別のメタデータを共有することによって、スケーラブル階層別に共通するデータの反復を避け、（２）ベーストラックリファレンスを置くことによって、意味上で別のトラックに相関するトラックの関係を表示できる。
【発明の効果】
【００２９】
本発明によれば、ＳＶＣでコーディングされたコンテンツをファイルに保存する場合、階層別に共通するデータの反復を避けて保存容量の減少することにより、別のトラックに相関するトラックを表示することにより、保存されたコンテンツの再加工時に便宜を提供する。
【発明を実施するための最良の形態】
【００３０】
１．トラック別のメタデータの共有
図５は、ＳＶＣファイルのメタデータの各トラックに保存されたＳｃａｌａｂｌｅＬａｙｅｒＥｎｔｒｙを示す図である。
【００３１】
図５に示すように、スケーラブルベーストラックとそれに基づいて生成されたサブトラックとは、Ｌａｙｅｒ１のＳｃａｌａｂｌｅＬａｙｅｒＥｎｔｒｙが重なりうる。
【００３２】
ＳＶＣでコーディングされたコンテンツをファイルに保存する場合、各スケーラブル階層（Ｌａｙｅｒ）に付加情報を含むメタデータをＳｃａｌａｂｌｅＬａｙｅｒＥｎｔｒｙという。
【００３３】
ＳＶＣファイルでは、トラックのｓｇｐｄ（Ｓａｍｐｌｅ  Ｇｒｏｕｐ  Ｄｅｓｃｒｉｐｔｉｏｎ  Ｂｏｘ）でＳｃａｌａｂｌｅＬａｙｅｒＥｎｔｒｙを含む。
【００３４】
スケーラブルベーストラックをベースとして他のサブトラックを生成する場合、二つのトラック間のスケーラブル階層は、相当部分共通したスケーラブル階層が存在する。
【００３５】
共通するスケーラブル階層は、同じメタデータＳｃａｌａｂｌｅＬａｙｅｒＥｎｔｒｙを有し、メタデータの共通する部分に対してデータが重なる。
【００３６】
図６Ａは、本発明の望ましい一実施形態によるＳｃａｌａｂｌｅＬａｙｅｒＥｎｔｒｙを共有するＳＶＣファイルを示す図である。
【００３７】
本発明によれば、共通するスケーラブル階層に対する同じメタデータＳｃａｌａｂｌｅＬａｙｅｒＥｎｔｒｙを各トラック別に記録せず、スケーラブルベーストラックを指定するスケーラブルベーストラック識別情報ｒｅｆ＿ｔｒａｃｋ  ＩＤ、及びスケーラブル階層を指定するスケーラブル階層識別情報ｒｅｆ＿ｌａｙｅｒ  ＩＤを使用する。
【００３８】
図６Ａは、本発明の望ましい一実施形態によって、各トラック間にＳｃａｌａｂｌｅＬａｙｅｒＥｎｔｒｙを共有するＳＶＣファイルを示す図である。
【００３９】
スケーラブルベーストラックでは、スケーラブル階層に対するメタデータを有するスケーラブル階層エントリを含む。
【００４０】
スケーラブルベーストラックをベースとして生成されたサブトラックでは、スケーラブル階層エントリの代わりに、スケーラブル階層のうち、生成のベースとなったスケーラブル階層の識別情報及びスケーラブルベーストラックの識別情報を有する。
【００４１】
図６Ａにおいて、サブトラックは、スケーラブルベーストラックを指定するスケーラブルベーストラック識別情報ｒｅｆ＿ｔｒａｃｋ  ＩＤ＝１、及びスケーラブル階層を指定するスケーラブル階層識別情報ｒｅｆ＿ｌａｙｅｒ  ＩＤ＝１を使用し、ＳｃａｌａｂｌｅＬａｙｅｒＥｎｔｒｙを重ねて保存しなかった。
【００４２】
スケーラブル階層のうち、生成のベースとなったスケーラブル階層の識別情報及び前記スケーラブルベーストラックの識別情報は、サブトラックのｓｇｐｄトラックで表す。
本発明のスケーラブルベーストラック識別情報ｒｅｆ＿ｔｒａｃｋ  ＩＤ及びスケーラブル階層識別情報ｒｅｆ＿ｌａｙｅｒ  ＩＤを使用して、スケーラブルベーストラックのＳｃａｌａｂｌｅＬａｙｅｒＥｎｔｒｙ値を共有するためのシンタックスは、次の通りである。
【００４３】
【表１】
2009522984.tif 000003
【００４４】
このように、本発明によれば、スケーラブルベーストラック識別情報ｒｅｆ＿ｔｒａｃｋ  ＩＤ及びスケーラブル階層識別情報ｒｅｆ＿ｌａｙｅｒ  ＩＤを置き、同じ階層を指定するあらゆるメタデータは、原本メタデータを参照することによって、原本メタデータの同じ内容を反復して保存しなくてもよい。
【００４５】
図６Ｂは、本発明の望ましい一実施形態によって、ＳＶＣファイルのメタデータの各トラック間にＳｃａｌａｂｌｅＬａｙｅｒＥｎｔｒｙを共有する方法のフローチャートである。
【００４６】
まず、ＳＶＣファイルのメディアデータに含まれたスケーラブル階層に対するメタデータを保存しているスケーラブル階層エントリＳｃａｌａｂｌｅＬａｙｅｒＥｎｔｒｙをスケーラブルベーストラックに保存する（Ｓ６０１）。
【００４７】
スケーラブルベーストラックに基づいて生成されたサブトラックに、生成のベースとなったスケーラブル階層の識別情報及びスケーラブルベーストラックの識別情報を保存する（Ｓ６０２）。
【００４８】
サブトラックに保存された生成のベースとなったスケーラブル階層の識別情報及びスケーラブルベーストラックの識別情報に基づいて、スケーラブルベーストラックとスケーラブル階層エントリを共有する（Ｓ６０３）。
【００４９】
生成のベースとなったスケーラブル階層の識別情報及びスケーラブルベーストラックの識別情報は、スケーラブルサブトラックのｓｇｐｄトラックで表す。
【００５０】
このように、本発明は、（１）トラック別のメタデータを共有することによって、スケーラブル階層別に共通するデータの反復を避けることができる。以下、本発明により意味上で互いに相関するトラック間の関連関係を表示する（２）ベーストラックリファレンスについて説明する。
【００５１】
２．ベーストラックリファレンス
図７Ａは、本発明の望ましい一実施形態によって、スケーラブルベーストラックの識別情報を有するＳＶＣファイルを示す図である。
【００５２】
本発明によれば、それぞれのサブトラックに自身が派生されたスケーラブルベーストラックがどのトラックであるかを表示できる。
【００５３】
このように互いに関連のあるトラック間の関連関係を表示可能にして、保存されたコンテンツの再加工時の便宜を提供できる。
【００５４】
図７Ａに示すように、トラックを表すメタデータｔｒａｋ  ７００中にトラックリファレンスｔｒｅｆ  ７１０という下位メタデータがある。
【００５５】
トラックリファレンスｔｒｅｆ  ７１０のシンタックスは、次の通りである。
【００５６】
【表２】
2009522984.tif 000004
【００５７】
トラックリファレンスｔｒｅｆ  ７１０は、タイプを異ならせてトラックのＩＤ  ｔｒａｋ−ＩＤを複数個有しうる。
【００５８】
トラックリファレンスｔｒｅｆ  ７１０にスケーラブルベーストラックのトラックＩＤをｓｂａｓ  ７１１と称されるタイプで保存して、それぞれのサブトラックに自身が派生されたスケーラブルベーストラックがどのトラックであるかを表示できる。
ｈｉｎｔ、ｃｄｓｃ及びｓｃａｌも、本発明によるｓｂａｓ  ７１１と同様にトラックがどの役割を行うトラックであるかを表示すると共に、本トラックが使われるトラックをリファレンシングする。
【００５９】
このように、本発明によれば、同じ内容を有するトラックが一つのスケーラブルベーストラックとそれから派生された複数個のサブトラックとから構成されたとき、それぞれのサブトラックにスケーラブルベーストラックを探すことができる参照者ｓｂａｓ  ７１１を用いてサブトラック間の関連関係を表示できる。
【００６０】
図７Ｂは、本発明の望ましい一実施形態によって、同じスケーラブルベーストラックを有するサブトラックを結合することにより管理する方法を示す図である。
コンテンツをファイルに保存する場合、二つ以上の内容を一つのファイルに保存することができる。
【００６１】
この場合、保存するコンテンツがＳＶＣでコーディングされたコンテンツであれば、各内容ごとにスケーラブルベーストラック、及びスケーラブルベーストラックとは別途にそれぞれのスケーラブルベーストラックから派生された少なくとも１つのサブトラックを有することができる。
【００６２】
この場合、各サブトラックは、自身から派生されたスケーラブルベーストラックがどのものであるかを定める必要がある。
【００６３】
スケーラブルベーストラックのトラックＩＤをｓｂａｓ  ７１１タイプで保存して、それぞれのサブトラックに自身から派生されたスケーラブルベーストラックがどのトラックであるかを表示して、同じスケーラブルベーストラックを有するサブトラックを結合することにより管理できる。
【００６４】
図７Ｂに示すように、サブトラックＡとサブトラックＢとは、スケーラブルベーストラックＸに基づいて生成された。
【００６５】
サブトラックＡとサブトラックＢとのトラックリファレンスｔｒｅｆのｓｂａｓトラックには、スケーラブルベーストラックＸのトラックＩＤを保存して、自身から派生されたスケーラブルベーストラックがどのトラックであるかを表示している（Ｓ７０１）。
【００６６】
サブトラックＣとサブトラックＤとは、スケーラブルベーストラックＹに基づいて生成された。
【００６７】
サブトラックＣとサブトラックＤとのトラックリファレンスｔｒｅｆのｓｂａｓトラックには、スケーラブルベーストラックＹのトラックＩＤを保存して、自身から派生された  スケーラブルベーストラックがどのトラックであるかを表示している（Ｓ７０２）。
【００６８】
本発明によれば、スケーラブルベーストラックの識別情報に基づいて、同じスケーラブルベーストラックに基づいて生成されたサブトラックを結合することにより管理できる。
【００６９】
例えば、スケーラブルベーストラックＹに基づいて生成されたあらゆるトラックを削除しようとする場合が発生しうる。
【００７０】
かかる場合、本発明によれば、トラックリファレンスｔｒｅｆのｓｂａｓトラックを参照して、ｓｂａｓトラックにスケーラブルベーストラックＹのトラックＩＤを有しているあらゆるトラックを削除することによって、スケーラブルベーストラックＹから生成されたあらゆるサブトラックを容易に管理できる。
【００７１】
このように、本発明では、サブトラックのスケーラブル階層を表すメタデータであるＳｃａｌａｂｌｅＬａｙｅｒＥｎｔｒｙを、スケーラブルベーストラックの識別情報ｒｅｆ＿ｔｒａｃｋＩＤ及びスケーラブル階層の識別情報ｒｅｆ＿ｌａｙｅｒＩＤのみを使用して共有することによって、重なるＳｃａｌａｂｌｅＬａｙｅｒＥｎｔｒｙに対する保存空間の浪費を防止する。
【００７２】
また、サブトラックにｓｂａｓというベーストラックリファレンスを置くことによって、意味上で互いに関連のあるトラック間の関連関係を表示可能にして、保存されたコンテンツの再加工時に便宜を提供する。
【００７３】
本発明は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。
【００７４】
コンピュータで読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置などがあり、また、搬送派（例えば、インターネットを通じた伝送）の形態で具現されるものも含む。また、コンピュータで読み取り可能な記録媒体は、ネットワークに連結されたコンピュータシステムに分散されて、分散方式でコンピュータで読み取り可能なコードが保存されて実行される。
【００７５】
これまで、本発明について、その望ましい実施形態を中心に述べた。当業者は、本発明が、特許請求の範囲に定義された本発明の精神および範囲から逸脱しない範囲で形式や詳細を様々に変えることができることを理解されたい。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる相違点は、本発明に含まれていると解釈されねばならない。
【図面の簡単な説明】
【００７６】
【図１】ＳＶＣの概念を示す図である。
【図２】マルチメディアファイルのファイルフォーマットを示す図である。
【図３】ＳＶＣでコーディングされたコンテンツのスケーラブル階層を示す図である。
【図４】ＳＶＣでコーディングされたコンテンツを保存するＳＶＣファイルのファイルフォーマットを示す図である。
【図５】ＳＶＣファイルのメタデータの各トラックに保存されたＳｃａｌａｂｌｅＬａｙｅｒＥｎｔｒｙを示す図である。
【図６Ａ】本発明の望ましい一実施形態によって、各トラック間にＳｃａｌａｂｌｅＬａｙｅｒＥｎｔｒｙを共有するＳＶＣファイルを示す図である。
【図６Ｂ】本発明の望ましい一実施形態によって、ＳＶＣファイルのメタデータの各トラック間にＳｃａｌａｂｌｅＬａｙｅｒＥｎｔｒｙを共有する方法のフローチャートである。
【図７Ａ】本発明の望ましい一実施形態によって、スケーラブルベーストラックの識別情報を有するＳＶＣファイルを示す図である。
【図７Ｂ】本発明の望ましい一実施形態によって、同じスケーラブルベーストラックを有するサブトラックを結合することにより管理する方法を示す図である。
【図１】
2009522984.tif 000005
【図２】
2009522984.tif 000006
【図３】
2009522984.tif 000007
【図４】
2009522984.tif 000008
【図５】
2009522984.tif 000009
【図６Ａ】
2009522984.tif 000010
【図６Ｂ】
2009522984.tif 000011
【図７Ａ】
2009522984.tif 000012
【図７Ｂ】
2009522984.tif 000013
【国際調査報告】
2009522984.tif 000014
2009522984.tif 000015
2009522984.tif 000016